(57)【要約】【課題】着脱が容易で構造がシンプルな下腿義足用カバーを提供することを目的とする。【解決手段】筒状の下腿義足用カバーであって、下腿義足のソケットの膨らみ部分の外周と略密接し、その略密接した部分から上端にかけて該ソケットと略密接して保持される上部と、前記下腿義足の足部の上方と略密接して保持される下部と、上端から下端にかけて伸びる周方向の第１端部と、上端から下端にかけて伸びる周方向の第２端部と、を有する可撓性の本体と、前記第１端部と前記第２端部を接続する接続部材と、を備え、前記第１端部と前記第２端部が着脱可能である、下腿義足用カバー。【選択図】図２
2016049388.tif 000002
【特許請求の範囲】
【請求項１】
筒状の下腿義足用カバーであって、
下腿義足のソケットの膨らみ部分の外周と略密接し、その略密接した部分から上端にかけて該ソケットと略密接して保持される上部と、
前記下腿義足の足部の上方と略密接して保持される下部と、
上端から下端にかけて伸びる周方向の第１端部と、
上端から下端にかけて伸びる周方向の第２端部と、
を有する可撓性の本体と、
前記第１端部と前記第２端部を接続する接続部材と、
を備え、
前記第１端部と前記第２端部が着脱可能である、
下腿義足用カバー。
【請求項２】
前記接続部材は、ファスナー及び磁石及びホックのいずれかである、
請求項１に記載の下腿義足用カバー。
【請求項３】
前記下腿義足に取り付けた状態において、前記本体の上端と前記ソケットとの間に一部隙間が形成される、
請求項１又は請求項２に記載の下腿義足用カバー。
【請求項４】
前記ソケットと、
前記足部と、
前記ソケットと前記足部とを繋ぐ中間部材と、
請求項１乃至請求項３にいずれか１項に記載の下腿義足用カバーと、
を備える、
下腿義足。
【請求項５】
前記中間部材は湾曲した板バネである、
請求項４に記載の下腿義足。
【請求項６】
前記板バネの上部が前記ソケットに埋設され、
前記板バネと前記ソケットが一体となった、
請求項５に記載の下腿義足。
【請求項７】
前記足部は、
前記板バネと前方で接続される地面に接する底部と、
前記底部の後方で上方に隆起する踵部と、
前記板バネに沿って肉付けされた発泡材からなる足型の外装部と、
を備える、
請求項５又は請求項６に記載の下腿義足。
【請求項８】
筒状の下腿義足用カバーの製造方法であって、
予め下腿義足を製造する工程と、
前記下腿義足にスポンジを被せて、健足の形状に合わせてフォームカバーを削り出す工程と、
前記フォームカバー付きの下腿義足を、石膏を含む包帯で採型して陰性モデルを成形する工程と、
前記陰性モデルに石膏を流し込み、石膏を固めて、陽性モデルを成形する工程と、
前記陽性モデルに積層材料を被せる工程と、
更にＰＶＡバックを被せ、真空成形で樹脂を注型する工程と、
前記樹脂が硬化した後、成形品を前記陽性モデルから取り外す工程と、
前記成形品に上下方向の切れ目を入れ、周方向の第１端部及び第２端部を設ける工程と、
前記第１端部と前記第２端部を着脱可能に接続する接続部材を取り付ける工程と、
を備える、
下腿義足用カバーの製造方法。
【請求項９】
前記陽性モデルに積層材料を被せる工程が、前記積層材料を複数被せる工程である、
請求項８に記載の下腿義足用カバーの製造方法。
【請求項１０】
前記接続部材は、ファスナー及び磁石及びホックのいずれかである、
請求項８又は請求項９に記載の下腿義足用カバーの製造方法。
【発明の詳細な説明】
【技術分野】
【０００１】
本発明は、下腿義足用のカバー、下腿義足、下腿義足用カバーの製造方法に関する。
【背景技術】
【０００２】
義足には大別して、大腿義足と下腿義足がある。大腿義足は、膝関節より上位のレベルで切断された場合に用いる義足であり、大腿部と膝継手と下腿部とからなる。下腿義足は、膝関節より下位のレベルで切断された場合に用いる義足である。
【０００３】
従来、大腿義足用のカバーとして、例えば特許文献１に開示されたものがある。この大腿義足用のカバーは、骨格構造を構成する大腿パイプ及び下腿パイプの外周に取り付けられる、スポンジ状の膝上外装及び膝下外装で構成される。
【０００４】
また、大腿義足用のカバーとしては、例えば特許文献２に開示されたものもある。この大腿義足用のカバーは、骨格構造の周りに取り付ける、三次元加工機器によって足形に削りだされたウレタンフォームで構成される。
【０００５】
また、下腿義足用のカバーとしては、上記特許文献１、２に示すスポンジ状のものや、ウレタンフォームからなるものが一般的である。
【先行技術文献】
【特許文献】
【０００６】
【特許文献１】実用新案登録第３１０３７８５号公報
【特許文献２】特開２００９−５６０８３号公報
【発明の開示】
【発明が解決しようとする課題】
【０００７】
しかしながら、特許文献１及び２の大腿義足用のカバーや、従来の下腿義足用のカバーは、スポンジやウレタンフォームからなるため、骨格からの着脱が容易でなく、交換や調整が猥雑で時間もかかる。
【０００８】
また、長期に使用すると、靴下の圧力等で型崩れをおこしやすく美観を損ねる。また、カバーの着脱を繰り返し行うと、カバーが痛み、破損の原因となり得る。
【０００９】
また、特許文献１及び２のカバーは大腿義足用であって、屈曲が必要な膝部分を考慮する必要があるため、構造が複雑となりコストがかかる。
【００１０】
本発明は上述の点に鑑みてなされたもので、着脱が容易で構造がシンプルな下腿義足用カバー、これを備える下腿義足、及び下腿義足用カバーの製造方法、を提供することを目的とする。
【課題を解決するための手段】
【００１１】
上記の課題を解決するために本発明に係る下腿義足用カバーは、筒状の下腿義足用カバーであって、下腿義足のソケットの膨らみ部分の外周と略密接し、その略密接した部分から上端にかけて該ソケットと略密接して保持される上部と、前記下腿義足の足部の一部と略密接して保持される下部と、上端から下端にかけて伸びる周方向の第１端部と、上端から下端にかけて伸びる周方向の第２端部と、を有する可撓性の本体と、前記第１端部と前記第２端部を接続する接続部材と、を備え、前記第１端部と前記第２端部が着脱可能である。
【００１２】
ここで、可撓性の本体とは、例えばカーボン、グラス繊維、樹脂、又はカーボン繊維やグラス繊維と樹脂の混合材などである。また、第１端部及び第２端部は、美観の観点から本体後方に配置することが好ましいが、側方や前方に配置してもよい。
【００１３】
好ましくは、この下腿義足用カバーは、前記接続部材がファスナー及び磁石及びホックのいずれかである。より好ましくは、ファスナーに包含されるスライドファスナーであって、両端部を付き合わせる構成であり、本体端部同士の重なり部分が生じず外観が綺麗であるし、着脱もしやすい。なお、スライドファスナー以外に、面ファスナーや磁石を用いてもよく、この場合、本体端部同士を所定量重ね合わせる。これにより、使用者に応じて、下腿義足用カバーの周囲寸法の調整がしやすい。また、ホックを用いることもできる。
【００１４】
好ましくは、下腿義足用カバーは、前記下腿義足に取り付けた状態において、前記本体の上端と前記ソケットとの間に一部隙間が形成される。ここで、本体の上端とソケットとの間の一部隙間とは、上端の全周全てに隙間が形成されるのではなく、所定位置に隙間が形成されていることを言う。この構成によれば、義足足部の特性であるしなりが出て、義足長が短くなった時の下腿義足用カバーとの干渉による異音などを抑える。
【００１５】
ここで、従来の下腿義足について説明する。従来の下腿義足は、ソケットと足部との間を繋ぐ中間部材に、支柱と足継手が用いられた物、所謂骨格構造の下腿義足が一般的であった。近年は、支柱と足継手に代わり、中間部材に板バネが使用されることが増えてきた。この板バネは、上部がソケットの背面にボルトで取り付けられ、そこから下方に向けて延在し、下部が踵様に湾曲して前方に延在し、足部と接続されている。この下腿義足は、主としてスポーツ用として使われることが多い。
【００１６】
しかしながら、中間部材に板バネを用いた下腿義足は、むき出しで使用されるものがほとんどで、従来の骨格構造の下腿義足のように、周りにスポンジやウレタンフォームが肉付けされていない。これは、肉付けすることで板バネの屈曲性を損なうこととなるためである。一方で、板バネを用いた下腿義足においても、健足のような外観を備えてほしいといった要望がある。
【００１７】
そこで、これらの課題を解決するために本発明に係る下腿義足は、前記ソケットと、前記足部と、前記ソケットと前記足部とを繋ぐ中間部材と、請求項１乃至請求項３にいずれか１項に記載の下腿義足用カバーと、を備える。
【００１８】
この構成によれば、従来の骨格構造のみならず、板バネを用いた下腿義足においても、健足のような外観を得ることができる。
【００１９】
好ましくは、この下腿義足は、前記中間部材は湾曲した板バネである。
【００２０】
好ましくは、この下腿義足は、前記板バネの上部が前記ソケットに埋設され、前記板バネと前記ソケットが一体となっている。
【００２１】
この構成によれば、従来のソケットの後方にボルトで締結された下腿義足と異なり、前記板バネの上部が前記ソケットに埋設されているので、下腿義足用カバーを装着しやすく、装着した際の外観が美しく、健足の様相を得られる。また、下腿義足用カバーも安定して装着することができるし、ずれも生じにくい。
【００２２】
好ましくは、この下腿義足は、前記足部が、前記板バネと前方で接続される地面に接する底部と、前記底部の後方で上方に隆起する踵部と、前記板バネに沿って肉付けされた発泡材からなる足型の外装と、を備える。
【００２３】
この構成によれば、使用時に板バネが上下動した場合に、板バネが足部の底部で止まるので、板バネの損傷を防止する。また、板バネが上下動した場合に、下腿義足用カバーの下端の上下動が発泡材からなる外装によって吸収され、また底部によって地面への接地を防ぎ、下腿義足用カバーの損傷を防止する。また、下腿義足用カバーの可撓性もこれを助ける。ここで、発泡材とは、例えばスポンジやウレタンフォームである。
【００２４】
また、本発明に係る下腿義足用カバーの製造方法は、筒状の下腿義足用カバーの製造方法であって、予め下腿義足を製造する工程と、前記下腿義足にスポンジを被せて、健足の形状に合わせてフォームカバーを削り出す工程と、前記フォームカバー付きの下腿義足を、石膏を含む包帯で採型して陰性モデルを成形する工程と、前記陰性モデルに石膏を流し込み、石膏を固めて、陽性モデルを成形する工程と、前記陽性モデルに積層材料を被せる工程と、更にＰＶＡバックを被せ、真空成形で樹脂を注型する工程と、前記樹脂が硬化した後、成形品を前記陽性モデルから取り外す工程と、前記成形品に上下方向の切れ目を入れ、周方向の第１端部及び第２端部を設ける工程と、前記第１端部と前記第２端部を着脱可能に接続する接続部材を取り付ける工程と、を備える。
【００２５】
ここで、積層材料には、例えば、カーボン繊維、グラス繊維、ナイロンストッキネットなどを用いる。また、陰性モデルとは、陽性モデルを成形するための型である。
【００２６】
また、この下腿義足用カバーの製造方法は、前記陽性モデルに積層材料を被せる工程が、前記積層材料を複数被せる工程であってもよい。積層材料を被せる枚数は、下腿義足用カバーの強度や、積層材料の種類によって変更するとよい。例えば、積層材料にカーボン繊維を用いる場合、カーボン繊維の厚みと強度の観点から、２枚以上が好ましい。
【００２７】
また、この下腿義足用カバーの製造方法は、前記接続部材が、ファスナー及び磁石及びホックのいずれかである。
【発明の効果】
【００２８】
以上のように、本発明に係る下腿義足用カバーは、着脱が容易で構造がシンプルであり、骨格構造の下腿義足や板バネを用いた下腿義足に、装着できる。また、本発明に係る下腿義足用カバーの製造方法は、上記の下腿義足用カバーを製造することができる。また、本発明に係る下腿義足は、骨格構造及び板バネを用いたものであっても、健足のような外観を得られる。
【図面の簡単な説明】
【００２９】
【図１Ａ】一実施形態に係る下腿義足用カバーを示す斜視図である。
【図１Ｂ】同下腿義足用カバーの背面図である。
【図２】下腿義足用カバーを取り付けた状態の下腿義足の斜視図である。
【図３】同下腿義足を上方から見た拡大図である。
【図４】同下腿義足の足部付近の拡大図である。
【図５】下腿義足用カバーを取り付けた下腿義足に、靴を履かせた状態の側面図である。
【図６Ａ】下腿義足用カバーを取り付けた状態の別の構造の下腿義足の斜視図である。
【図６Ｂ】同下腿義足用カバーを開いた状態の背面図である。
【図７Ａ】下腿義足用カバーの一製造工程を示す説明図である。
【図７Ｂ】下腿義足用カバーの一製造工程を示す説明図である。
【図７Ｃ】下腿義足用カバーの一製造工程を示す説明図である。
【図７Ｄ】下腿義足用カバーの一製造工程を示す説明図である。
【図７Ｅ】下腿義足用カバーの一製造工程を示す説明図である。
【図７Ｆ】下腿義足用カバーの一製造工程を示す説明図である。
【発明を実施するための形態】
【００３０】
以下、本発明に係る実施形態を図面に基づき説明するが、本発明はこの実施形態に限定されるものではない。
【００３１】
＜１．下腿義足用カバーの構造＞
図１Ａは、本発明の一実施形態に係る下腿義足用カバーの斜視図である。図１Ｂは、同背面図である。図１Ａ、図１Ｂに示すように、下腿義足用カバー１０は、本体１１と、ファスナー１２と、を備える。
【００３２】
本体１１は、膝部付近から足部まで覆い、人の下腿を模した形状の薄い筒状である。本体１１の上部１１ａは、下腿義足２０のソケット２１の上部の形状に沿った形状で、本体１１の下部１１ｂは、下腿義足２０の足部２３の付け根付近である上部の形状に沿った形状である。
【００３３】
本体１１は、背面に上下方向の切れ目があり、周方向の第１端部１１ｃと第２端部１１ｄとを備える。周方向の第１端部１１ｃ及び第２端部１１ｄの上端及び下端は、丸く形成されている。これは、角の損傷を防ぐためと、ファスナー１２を取り付けた時にファスナーの開閉がしやすいようにするためである。
【００３４】
また、本体１１は、本実施形態において、上端が両側方から後方にかけて下方向に低くなっている。これは、後述する下腿義足２０のソケット２１の形状に合わせていて、膝を曲げやすくするためである。
【００３５】
また、本体１１は、本実施形態において、下端が両側方から後方にかけて上方向に高くなっている。これは、歩行の時の上下方向の運動に対して、本体１１の下端が地面と接触しないようにするためである。
【００３６】
ファスナー１２は、スライドファスナーである。ファスナー１２は、本体１１の背面の上下方向の切れ目を着脱可能に接続し、第１端部１１ｃと第２端部１１ｄとに取り付けられている。
【００３７】
なお、ファスナー１２に代えて、面ファスナーや磁石を用いてもよく、その場合、第１端部１１ｃと第２端部１１ｄとを所定量重ね合わせて、第１端部１１ｃの表面に面ファスナーの雄又はマイナス磁石を取り付け、第２端部１１ｄの裏面に面ファスナーの雌又はプラス磁石を取り付ける。
【００３８】
＜２．下腿義足の構造＞
図２は、下腿義足用カバー１０を取り付けた状態の下腿義足の斜視図であって、下腿義足用カバー１０を透過させ、下腿義足の構造を示す斜視図である。なお、この図において下腿義足用カバーは点線で示す。図３は、同下腿義足を上方から見た拡大図である。図４は、同下腿義足の足部付近の拡大図である。
【００３９】
図２に示すように、下腿義足２０は、ソケット２１と、足部２３と、これらを繋ぐ板バネ２２とを主要な構成として備える。
【００４０】
図２、図３に示すように、ソケット２１は、後方に板バネ２２を取り付ける取り付け部２１ａを一体に備え、上方に人の膝及び大腿下方を入れる空間部２１ｂを備える。取り付け部２１ａは、ソケット２１の後方で、人のふくらはぎの最も膨らんだ部分からふくらはぎの上部あたりに配されている。取り付け部２１ａは、上方が滑らかに丸くなっていて、ソケット２１から滑らかに繋がっている。この丸みは、下腿義足用カバー１０を装着した時に、上方から見て人のふくらはぎの丸みのように見せるためである（図３参照）。
【００４１】
図２に示すように、板バネ２２は、上部がソケット２１の取り付け部２１ａに埋設されて固定されている。板バネ２２は、ソケット２１の取り付け部２１ａから後方に延在し、下方の踵部付近で湾曲して、前方に延在している。板バネ２２の前方の裏面が、足部２３の底部２３ａにしっかりと固定されている。また、板バネ２２の前方の表面には、足型の外装部２３ｂが設けられている。
【００４２】
図２、図４に示すように、足部２３は、底部２３ａと外装部２３ｂと踵部２３ｃとを備えている。底部２３ａは、靴のソールのような足裏型の形状であり、弾性部材で構成されている。弾性部材とは例えばゴムである。底部２３ａの後方には、踵部２３ｃが設けられている。踵部２３ｃは、前方から後方にかけて高くなっている。踵部２３ｃは底部２３ａ同様、弾性部材で構成されている。
【００４３】
踵部２３ｃは、前方から後方にかけて高くなる斜面を有していて、人の歩行時の上下動によって、板バネ２２が上下する時、板バネ２２の踵部が斜面に接触して、板バネ２２の上下動を吸収する。これにより、板バネ２２が地面に接触することを防止し、板バネ２２の損傷を防ぐ。
【００４４】
底部２３ａには、その前端付近において、外装部２３ｂの前端部が固定されている。外装部２３ｂは、底部２３ａと固定された前端部から板バネ２２に沿って、板バネ２２の上面に隆起した足型のスポンジ状である。
【００４５】
次に、下腿義足用カバー１０の下腿義足２０への取り付け構造を説明する。下腿義足用カバー１０の本体１１の上部１１ａ、下部１１ｂに対応する部分を、下腿義足用カバー１０の上部を１０ａ、下部１０ｂとする。
【００４６】
図２、図３、図４に示すように、下腿義足２０は、下腿義足用カバー１０が取り付けられた下腿義足である。下腿義足用カバー１０の上部１０ａは、ソケット２１の後方に取り付け部２１ａが配された部分と略密接して保持されていて、所定位置に隙間Ｃが形成されている。隙間Ｃは、取り付け部２１ａの上部の膨らみ部分の両側に形成されている。
【００４７】
また、下腿義足用カバー１０の下部１０ｂは、足部２３の付け根部分である上部と板バネ２２の踵部付近と略密接して保持されている。なお、下腿義足用カバー１０の下部１０ｂが、下腿義足２０の下面よりも上方で保持されているのは、歩行時の上下動によっても、下腿義足用カバー１０の下端が地面に接触しないようにするためである。
【００４８】
下腿義足用カバー１０の下部１０ｂの前方の形状は、足部２３の外装部２３ｂの上部の曲面形状に沿った形状であり、下腿義足用カバー１０の下部１０ｂから足部２３の外装部２３ｂの形状にスムーズに繋がっている。
【００４９】
また、図５は、下腿義足用カバー１０を取り付けた下腿義足２０に、靴を履かせた状態の側面図である。図５に示すように、下腿義足用カバー１０を取り付けた下腿義足２０は、人の足を模した形状であるので、自然な外観形状を有する。下腿義足用カバー１０の表面を人の肌色にして、より自然な外観とすることもできる。また、一般的な靴下や靴を履かせることができ、その場合も自然な外観となる。
【００５０】
＜３．本実施形態の効果＞
本実施形態の下腿義足用カバー１０によれば、背面にファスナー１２を備えるので、下腿義足２０から下腿義足用カバー１０を容易に着脱できる。また、人の下腿を模した形状の薄い筒状で、カーボン繊維と樹脂の混合材料からなるので、構造がシンプルで、可撓性であり、強度もあり、軽量である。
【００５１】
また、下腿義足用カバー１０の上部１０ａがソケット２１の後方に取り付け部２１ａが配された部分と略密接し、下腿義足用カバー１０の下部１０ｂが足部２３の付け根部分である上部と板バネ２２の踵部付近と略密接し、これらの２点でしっかりと保持されているので、骨格構造の下腿義足や板バネを用いた種々の下腿義足に、容易に装着できる。
【００５２】
また、下腿義足用カバー１０の上部１０ａと、ソケット２１の後方に取り付け部２１ａが配された部分と略密接し、取り付け部２１ａの上部の膨らみ部分の両側に隙間Ｃが形成されているので、義足足部の特性であるしなりが出て、義足長が短くなった時の下腿義足用カバーとの干渉による異音などを抑える。なお、この隙間に関しては、ソケットの大きさに左右されるので、必ずしも必須ではない。また、健側との形状を合わせる為に必要になる場合もある。
【００５３】
また、下腿義足用カバー１０の下部１０ｂが、下腿義足２０の下面よりも上方で保持されているので、歩行時の上下動によっても、下腿義足用カバー１０の下端が地面に接触することを抑え、下腿義足用カバー１０の損傷を防止する。また、足部２３の外装部２３ｂがスポンジからなるので、歩行時の上下動による下腿義足用カバー１０の上下動を吸収して、下腿義足用カバー１０の損傷を防止する。
【００５４】
また、下腿義足２０は足部２３の踵部２３ｃを備えているので、人の歩行時の上下動によって、板バネ２２が上下する時、板バネ２２の踵部が斜面に接触して、板バネ２２の上下動を吸収する。これにより、板バネ２２が地面に接触することを防止し、板バネ２２の損傷を防ぐ。
【００５５】
＜４．本実施形態の変形例＞
図６Ａは、下腿義足用カバーを取り付けた状態の別の構造の下腿義足の斜視図である。図６Ｂは、下腿義足用カバーのファスナーを開いた状態の背面図である。この実施形態の下腿義足４０と、上記実施形態の下腿義足２０との主な相違点は、下腿義足の中間部材が、板バネ２２に代えて、骨格構造である点である。
【００５６】
図６Ａ、図６Ｂに示すように、変形例の下腿義足用カバー３０は、下腿義足４０のソケット４１の上端付近から、足部４３の上部にかけて覆う本体３１と、背面に配されたファスナー３２を備えている。また、本体３１は、カーボン繊維と樹脂の混合材からなり、可撓性を有する。
【００５７】
下腿義足４０は、ソケット４１と、足部４３と、これらを繋ぐ支柱４２と、を主要な構成として備える。
【００５８】
ソケット４１は、ソケット２１よりも上下方向に長く寸胴な形状であって、上方に人の膝及び大腿下方を入れる空間部４１ａを備える。また、ソケット４１は上下方向の中央付近が膨らんでいて、人のふくらはぎを模した形状である。下腿義足用カバー３０の上部が、このソケット４１の中央付近の膨らんだ部分の外周に密接し、この密接部分から上端付近にかけて密接して保持されている。
【００５９】
支柱４２は、ソケット４１と接続されていて、ソケット４１の下面から足部４３にかけて伸びている。足部４３は、人の足を模した足型の形状である。支柱４２の下部は足部４３と接続されていて、足部４３の上面中央付近から支柱４２が突出した構造である。
【００６０】
＜５．下腿義足用カバーの製造工程＞
次に、下腿義足用カバー１０の製造工程について説明する。図７Ａ乃至Ｆは、下腿義足用カバー１０の各製造工程を示す説明図である。
【００６１】
図７Ａに示すように、予め製造した下腿義足５０に、硬性スポンジを健足の寸法に合わせてフォームカバー５１を削り出す。
【００６２】
図７Ｂに示すように、フォームカバー５１付きの下腿義足５０に石膏包袋５２を巻いて、石膏包袋５２が固まった後に下腿義足５０を抜き取り採型し、陰性モデルを取得する。
【００６３】
図７Ｃに示すように、陰性モデルに石膏を流し込んで固め、陽性モデル５３を作成する。そして、陽性モデル５３に外装のトリミングラインを記入する。トリミングラインを記入する際、最終成形品である下腿義足用カバー１０がソケットと足部の２点で保持されることを考慮して、トリミングラインを設定する。
【００６４】
図７Ｄに示すように、陽性モデル５３に積層材５４を被せる。本実施形態における積層材には、一例としてカーボン繊維を用いており、一例としてカーボン繊維を２枚被せて２層にしている。なお、カーボン繊維にかえて、例えばグラス繊維やナイロンストッキネットを用いてもよい。また、積層材５４の積層数は材料や必要強度によって変更すればよく、１枚でもよく、２枚以上でもよい。また、表面に肌の柄やその他の柄を付ける場合、積層材５４の上に柄を被せてもよい。
【００６５】
図７Ｅに示すように、これにＰＶＡバック５５を被せて、真空成形で樹脂５６を流し込む。樹脂５６が積層材５４であるカーボン繊維に染み込んで、樹脂５６が硬化するのを待つ。
【００６６】
図７Ｆに示すように、樹脂５６が硬化したら、ギブスカッター等で成形品をカットして、陽性モデル５３から取り外す。この時、成形品のファスナー１２が取り付けられる部分、すなわち背面に切れ目を入れる。そして、カービングマシンでトリミングを行う。この時、ファスナー１２の差込部を削っておくことでファスナー１２が入れ易くなる。これで本体１１が完成する。
【００６７】
そして、本体１１の第１端部１１ｃと第２段部１１ｄに、ファスナー１２を取り付けて、下腿義足用カバー１０が完成する（図１参照）。
【００６８】
＜６．その他の実施形態＞
以上のとおり、図面を参照しながら本発明の好適な実施形態を説明したが、本発明の趣旨を逸脱しない範囲内で、種々の追加、変更または削除が可能である。例えば、下腿義足用カバー１０のファスナー１２は、スライドファスナーに限られず、面ファスナーを用いてもよい。この場合、第１端部１１ｃと第２端部１１ｄとを所定量重ね合わせて、第１端部１１ｃの表面に面ファスナーの雄、第２端部１１ｄの裏面に面ファスナーの雌を取り付けるとよい。また同様に、面ファスナーにかえて、磁石を用いてもよい。また、下腿義足用カバー１０の本体１１の素材は、カーボン繊維と樹脂の混合材に限られず、その他の可撓性素材を用いてもよい。したがって、そのようなものも本発明の範囲内に含まれる。
【符号の説明】
【００６９】
１０  下腿義足用カバー
１０ａ  上部
１０ｂ  下部
１１  本体
１１ａ  上部
１１ｂ  下部
１１ｃ  第１端部
１１ｄ  第２端部
１２  ファスナー
２０  下腿義足
２１  ソケット
２１ａ  取り付け部
２１ｂ  空間部
２２  板バネ
２３  足部
２３ａ  底部
２３ｂ  外装部
２３ｃ  踵部
３０  下腿義足用カバー（変形例）
３１  本体
３２  ファスナー
４０  下腿義足（変形例）
４１  ソケット
４２  支柱
４３  足部
５０  下腿義足
５１  フォームカバー
５２  石膏包袋
５３  陽性モデル
５４  積層材
５５  ＰＶＡバック
５６  樹脂
Ｃ  隙間
【図１Ａ】
2016049388.tif 000003
【図１Ｂ】
2016049388.tif 000004
【図２】
2016049388.tif 000005
【図３】
2016049388.tif 000006
【図４】
2016049388.tif 000007
【図５】
2016049388.tif 000008
【図６Ａ】
2016049388.tif 000009
【図６Ｂ】
2016049388.tif 000010
【図７Ａ】
2016049388.tif 000011
【図７Ｂ】
2016049388.tif 000012
【図７Ｃ】
2016049388.tif 000013
【図７Ｄ】
2016049388.tif 000014
【図７Ｅ】
2016049388.tif 000015
【図７Ｆ】
2016049388.tif 000016